(57)【要約】【課題】操作と使用が便利で、メモリカード入退出行程による破損又は紛失防止を図るメモリカード入退出装置を提供する。【解決手段】絶縁台１、金属蓋２及びカード入退出装置３を有する。特に入退出装置３に備える掛け合い機構を改良し、フック３４は湾曲状、外部はメモリカードの掛け合い溝１３を掛け合う湾曲状のアームとし、フック弾性アーム３４１は内側へさらに延ばして、末端部に係止アーム３４２を形成し、係止アーム３４２を滑り駒取付溝３１５の内壁に係止する。メモリカード退出による衝撃力を弾性アーム３４１に作用し、係止アーム３４２の係止働きで、弾性アーム３４１が反力を発生し、メモリカード退出による衝撃力を和らげて、メモリカードの飛び出しを防止する。【選択図】図１
0003135262.tif 000002
【実用新案登録請求の範囲】
【請求項１】
絶縁台、金属蓋及びメモリカード入退出装置を備え、
該絶縁台に複数の端子を有し、台体の一端に一組のメモリカード入退出装置の固定部を有し、金属蓋は絶縁台と組み合わせてかぶせ、
メモリカード入退出装置は滑り駒、ばね、制動棒及びフックを備え、滑り駒はばねによって押さえ込まれ、かつ案内溝を有し、ばねを絶縁台と滑り駒との間に係止し、制動棒両端部を絶縁台の掛け合い溝と滑り駒の有する案内溝とに掛け合い、さらに一端に取付溝を設けてフックを嵌め込み固定し、
該フックは湾曲状に形成され、その外部に弾性アームを備え、かつ該フック弾性アームはさらに内側に引き込んで末端部に係止アームを形成し、係止アームを滑り駒取付溝の内壁に係止し、係止アームの係止制限作用により、弾性アームはメモリカード退出による衝撃力を受けると反力を発生し、メモリカード退出の衝撃力を低減することを特徴とするメモリカード飛び出し防止入退出装置。
【請求項２】
該滑り駒は取付溝の溝部に仕切り塊を設け、二つの隣り合った導通溝を形成し、かつフックの係止アームは仕切り塊の内壁に係止することを特徴とする請求項１に記載のメモリカード飛び出し防止入退出装置。
【請求項３】
該フックに湾曲後尾アームを備え、該湾曲後尾アームは取付溝一端の仕切り溝にはめ込むことを特徴とする請求項２に記載のメモリカード飛び出し防止入退出装置。
【請求項４】
該フックに一つ又は一つ以上の取付シートを備え、該滑り駒取付溝の対称位置に一つ又は一つ以上の組み合わせ挿入掛け合い溝を設け、取付シートは挿入掛け合い溝に照準して嵌め込んで結合することを特徴とする請求項１に記載のメモリカード飛び出し防止入退出装置。
【考案の詳細な説明】
【技術分野】
【０００１】
本考案は一種のメモリカード入退出装置、特に一種の掛かり合い構造を改良したメモリカードの飛び出し防止構造に関わるものである。
【背景技術】
【０００２】
公知技術のメモリカード入退出装置は主に、絶縁台と金属蓋とを組み合わせて構成する。絶縁台内部には複数の端子掛け合い溝、端子、検出片などを有する。メモリカードの挿入固定及び弾き出しのため、絶縁台の片側にメモリカード入退出装置を備える。公知技術のメモリカード入退出装置は滑り駒、ばね、制動棒及びフックより構成する。メモリカードを挿入したとき、滑り駒はばね（一部の公知技術は滑り駒を拡張させばねを引くことにより同じ効果を実現）を押し込み、制動棒の一端を滑り駒案内溝にて摺動及び固定し、フック外部の弾性アームはメモリカード側壁に備える凹み場所の掛け合い溝と掛け合うことにより、メモリカード挿入後は固定される。ただし、前記した公知技術の弾性アームは湾曲状アームであり、係る弾性アームの末端は開放状態のため、力を受けると、変形して曲がり、受力が大きいほど変形量が大きいため、固定の働きを失う。よって、メモリカードを退去させるとき、滑り駒はばねの大きい衝撃力により弾性アームを押しつぶした結果、弾性アームは過度に曲がり大幅に変移し内側に引き込まれ、弾性アームはカード退出による衝撃力に堪えきれないため、メモリカードが飛び出す（すなわち、カード飛び出し現象）。一方、現在のメモリカードはコンパクトタイプがほとんどのため、カード飛び出しはさらにひどく、利用、操作に面倒なほか、メモリカードは飛び出しにより破損又は紛失が起こる。
【考案の開示】
【考案が解決しようとする課題】
【０００３】
カード入退出装置の掛け合い機構の改良を図り、フック弾性アームをより内部に延ばし、その末端部に係止アームを形成することにより該係止アームの働きにより、弾性アームの反力を利用しカード入退出の衝撃力を和らげる。メモリカードの退去行程において、フック弾性アームは引き続きメモリカードと良好な掛け合い状態を維持し、メモリカードの突然の離脱及び飛び出しをなくして、使用と操作を便利にするほか、メモリカードのカード入退出行程による破損又は紛失防止を図る、一種のメモリカード入退出装置を提供することを本考案の主な目的とする。
【課題を解決するための手段】
【０００４】
一種のメモリカード入退出装置であって、該メモリカード入退出装置は絶縁台、金属蓋及びカード入退出装置を有する。本案は特に入退出装置に備える掛け合い機構を改良し、該フックは湾曲状、外部はメモリカードの掛け合い溝を掛け合う湾曲状のアームとし、該フック弾性アームは内側へさらに延ばして、末端部に係止アームを形成し、該係止アームを滑り駒取付溝の内壁に係止する。メモリカード退出による衝撃力を該弾性アームに作用し、該係止アームの係止する働きで、弾性アームは反力を発生し、メモリカード退出による衝撃力を和らげて、メモリカードの飛び出しを防止する。
【考案を実施するための最良の形態】
【０００５】
（第１実施例）
図１に示す本考案の第１実施例によるメモリカード飛び出し防止入退出装置は主に、絶縁台１、金属蓋２及びメモリカード入退出装置３より構成する。
そのうち、絶縁台１は複数の端子１１を備え、台の一端に一組のメモリカード入退出装置３を収容する。
金属蓋２は、該絶縁台１と組み合わせてかぶせる。
【０００６】
メモリカード入退出装置３は、滑り駒３１、ばね３２、制動棒３３及びフック３４を備え、滑り駒３１はばね３２の係止により作動する。滑り駒３１はほぼＹ型の案内溝３１１を備え、該案内溝３１１の両端部にそれぞれ係止溝３１２、３１３を備え、該ばね３２は絶縁台１と滑り駒３１両端のピン１２、３１４の間に係止する。制動棒３３の両端を該絶縁台１の掛け合い溝１３と滑り駒３１の案内溝３１１とに掛け合う。該滑り駒３１はその一端に取付溝３１５を設けて、フック３４を掛け合って固定する。該滑り駒３１に備える取付溝３１５はさらに仕切り塊３１６を設け、取付溝３１５を二つの連続した溝に形成する。該フック３４は図２及び図３に示す通り、湾曲状を形成する。その外部に湾曲状の弾性アーム３４１を備え、該フック弾性アーム３４１をさらに内側に引き込み、その末端部に係止アーム３４２を形成し、該係止アーム３４２を滑り駒取付溝の仕切り塊３１６内壁に係止し、係止アーム３４２と仕切り塊３１６の係止する働きにより、弾性アーム３４１に反力を発生し、固定効果を実現する。
【０００７】
前記した絶縁台１、金属蓋２及びメモリカード入退出装置３より構成するメモリカード飛び出し防止入退出装置のフック３４は滑り駒３１の取付溝３１５にはめ込み、フック３４外部の弾性アーム３４１はメモリカード４の掛け合い溝４１（図８及び図９参照）に掛け合う。フック３４の係止アーム３４２と取付溝３１５内壁とに係止する働きにより、弾性アーム３４１はメモリカードの退出で受ける衝撃力を反力に置き換えて、メモリカード４の退出の衝撃力を確実に和らげ、引き続き係止して飛び出しを防止する。
【０００８】
図７及び図８に示す通り、該メモリカード４は滑り駒３１によりばね３２を押さえ込み、制動棒３３はＹ型案内溝３１１において摺動し係止溝３１３に係止して固定する。このとき、フック３４に備える弾性アーム３４１はメモリカード４の側壁の掛け合い溝４１に掛け合い、メモリカード４は挿入後に固定される。メモリカードを退出するとき、メモリカード４を内側に押すことにより制動棒３３は係止溝３１３を離脱し、ばね３２のエネルギーにより滑り駒３１を反対方向に押し込んで、メモリカード４を弾き出す。一方、図９に示す通り、このときフック３４の弾性アーム３４１とメモリカード４の掛け合い溝４１は引き続き掛け合い状態を維持するため、メモリカード４は突然の離脱による飛び出しがない。図１０に示す通り、滑り駒３１を押し出した後、指でメモリカード４をつまみ出すことができる。このように、本実施例は使用のとき、操作がより便利で、メモリカード４の弾き出しによるメモリカード飛び出しをなくし、破損又は紛失がないために顕著な効果を有する。
【０００９】
前記したメモリカード入退出装置３のフック３４は滑り駒３１の取付溝３１５に嵌め込む形で取り付けた上、金属蓋２と絶縁台１と組み合わせてかぶせる。該フック３４の湾曲後尾アーム３４３は取付溝３１５一端の仕切り溝３１７（図５参照）表面にはめ込み、フック３４の係止アーム３４２を滑り駒取付溝３１５内部の仕切り塊３１６に係止し、フック３４が外部への離脱を制止する。
【００１０】
（第２実施例）
さらに、図４に示す本考案の第２実施例において、該フック３４’は同じく弾性アーム３４１’、係止アーム３４２’及び湾曲後尾アーム３４３’を備えるほか、本体の選択位置に一つ又は一つ以上の取付シート３４４’又は３４５’を備え、滑り駒取付溝３１５の相対位置に合わせて、一つ又は一つ以上の挿入掛け合い溝３１８（図６参照）を設けることにより、取付シート３４４’又は３４５’を挿入掛け合い溝３１８に照準して嵌め込み、より安定な挿入掛け合い結合を実現する。
前記の実施例は本考案の主な技術の説明を目的とし、本考案の技術範囲に何らの制限を加わるものではない。よって、等効果の応用又は前記した技術による簡単な変更又は置き換えするものは、本考案の技術範囲に含まれるものとする。
【図面の簡単な説明】
【００１１】
【図１】本考案の第１実施例によるメモリカード飛び出し防止入退出装置を示す分解図である。
【図２】本考案の第１実施例によるメモリカード飛び出し防止入退出装置のフックを示す平面図である。
【図３】本考案の第１実施例によるメモリカード飛び出し防止入退出装置のフックを示す斜視図である。
【図４】本考案の第２実施例によるメモリカード飛び出し防止入退出装置のフックを示す斜視図である。
【図５】本考案の第１実施例によるメモリカード飛び出し防止入退出装置のフックを滑り駒取付溝に嵌め込んだ状態を示す断面図である。
【図６】本考案の第２実施例によるメモリカード飛び出し防止入退出装置のフックを滑り駒取付溝に嵌め込んだ状態を示す断面図である。
【図７】本考案の第１実施例によるメモリカード飛び出し防止入退出装置においてカードが挿入された状態を示す斜視図である。
【図８】図７のメモリカード飛び出し防止入退出装置において金属蓋を有さない状態を示す斜視図である。
【図９】本考案の第１実施例によるメモリカード飛び出し防止入退出装置のカード退出行程で、フックの弾性アームとメモリカードとの掛け合い状態を示す模式図である。
【図１０】本考案の第１実施例によるメモリカード飛び出し防止入退出装置のカード退出行程を終え、フック弾性アームがメモリカードから離脱した状態を示す模式図である。
【符号の説明】
【００１２】
１：絶縁台、１１：端子、１２：ピン、１３：掛け合い溝、２：金属蓋、３：メモリカード入退出装置、３１：滑り駒、３２：ばね、３３：制動棒、３４：フック、３１１：案内溝、３１２、３１３：係止溝、３１４：ピン、３１５：取付溝、３１６：仕切り塊、３１７：仕切り溝面、３４１：弾性アーム、３４２：係止アーム、３４３：湾曲後尾アーム、４：メモリカード、４１：掛け合い溝、３４’：フック、３４１’：弾性アーム、３４２’：係止アーム、３４３’：湾曲後尾アーム、３４４’、３４５’：取付シート、３１８：挿入掛け合い溝
【図１】
0003135262.tif 000003
【図２】
0003135262.tif 000004
【図３】
0003135262.tif 000005
【図４】
0003135262.tif 000006
【図５】
0003135262.tif 000007
【図６】
0003135262.tif 000008
【図７】
0003135262.tif 000009
【図８】
0003135262.tif 000010
【図９】
0003135262.tif 000011
【図１０】
0003135262.tif 000012